(57)【特許請求の範囲】
【請求項１】
画像ファイルを記録媒体に記録する撮像装置であって、
被写体像を撮像して撮像データを生成する撮像部と、
前記撮像データに基づく画像ファイルを前記記録媒体に記録する制御部と、
前記記録媒体における前記画像ファイルを管理するファイル方式を、互いに異なる第１及び第２のファイル方式から選択するユーザ操作を入力する操作部と、
画像を表示する表示部と
を備え、
前記制御部は、前記操作部において入力されたユーザ操作に基づいて、前記記録媒体において前記第１のファイル方式に対応する第１のフォルダと前記第２のファイル方式に対応する第２のフォルダとの間で、前記画像ファイルの格納先のフォルダを切り替え、
静止画ファイルは、前記ユーザ操作に依らず、前記第１のファイル方式に従って前記第１のフォルダに格納され、
前記制御部は、
前記操作部において、前記第１のフォルダと前記第２のフォルダとの両方にわたって各フォルダに記録された画像ファイルが示す画像が表示される順番を設定するユーザ操作を入力して、
前記操作部に入力された順番を設定するユーザ操作に基づいて、前記第１及び第２のフォルダの両方にわたって各画像ファイルが示す画像を、設定された順番において前記表示部に表示させる
撮像装置。
【請求項２】
前記順番を設定するユーザ操作は、前記第１及び第２のフォルダの両方にわたる各画像ファイルの、撮影された順番及びファイル名の順番から、一方の順番を設定対象として選択するユーザ操作である
請求項１に記載の撮像装置。
【請求項３】
前記制御部は、前記第１及び第２のファイル方式のうちの前記ユーザ操作によって選択されたファイル方式に従って、前記記録媒体に記録する画像ファイルのファイル名、前記格納先のフォルダ内におけるフォルダ構成及びフォルダ名のうちの少なくとも一つを設定する
請求項１又は２に記載の撮像装置。
【請求項４】
前記制御部は、
前記操作部において入力されたユーザ操作に基づいて、前記第１及び第２のフォルダのうちの前記選択されたファイル方式に対応するフォルダに、前記撮像データに基づく動画ファイルを記録し、
前記操作部において入力されたユーザ操作に依らず、前記第１のフォルダに、前記撮像データに基づく静止画ファイルを記録する
請求項１から３のいずれか１項に記載の撮像装置。
【請求項５】
前記第１のファイル方式は、ＤＣＦ（Ｄｅｓｉｇｎ  ｒｕｌｅ  ｆｏｒ  Ｃａｍｅｒａ  Ｆｉｌｅ  ｓｙｓｔｅｍ）規格によって規定され、
前記第２のファイル方式は、動画の撮影時の情報をファイル名に含めるように規定される
請求項４に記載の撮像装置。
【請求項６】
前記制御部は、前記操作部において前記第１及び第２のファイル方式から一方のファイル方式を選択するユーザ操作に応じて、選択中のファイル方式に対応するフォルダに前記画像ファイルが記録される際のファイル名及びフォルダ名を前記表示部に表示させる
請求項１から５のいずれか１項に記載の撮像装置。
【請求項７】
前記制御部は、前記第１のフォルダに記録された画像ファイルと前記第２のフォルダに記録された画像ファイルとのうちの両方又は一方における各画像ファイルが示す画像を前記表示部に表示させる
請求項１から６のいずれか１項に記載の撮像装置。
【請求項８】
画像ファイルを記録媒体に記録する撮像装置であって、
被写体像を撮像して撮像データを生成する撮像部と、
前記撮像データに基づく画像ファイルを前記記録媒体に記録する制御部と、
前記記録媒体における前記画像ファイルを管理するファイル方式を、互いに異なる第１及び第２のファイル方式から選択するユーザ操作を入力する操作部と
を備え、
前記制御部は、前記操作部において入力されたユーザ操作に基づいて、前記記録媒体において前記第１のファイル方式に対応する第１のフォルダと前記第２のファイル方式に対応する第２のフォルダとの間で、前記画像ファイルの格納先のフォルダを切り替え、
前記制御部は、
前記記録媒体において、前記第１及び第２のフォルダのうちの前記ユーザ操作によって選択されたファイル方式に対応しないフォルダ内の画像ファイルの存在を検知すると、
前記記録媒体における前記第１及び第２のフォルダのうちの前記ユーザ操作によって選択されたファイル方式に対応するフォルダに、検知した画像ファイルを集約させる
撮像装置。
【請求項９】
画像ファイルを記録媒体に記録する撮像装置であって、
被写体像を撮像して撮像データを生成する撮像部と、
前記撮像データに基づく画像ファイルを前記記録媒体に記録する制御部と、
前記記録媒体における前記画像ファイルを管理するファイル方式を、互いに異なる第１及び第２のファイル方式から選択するユーザ操作を入力する操作部と
を備え、
前記制御部は、前記操作部において入力されたユーザ操作に基づいて、前記記録媒体において前記第１のファイル方式に対応する第１のフォルダと前記第２のファイル方式に対応する第２のフォルダとの間で、前記画像ファイルの格納先のフォルダを切り替え、
前記制御部は、
前記記録媒体において、前記第１及び第２のフォルダのうちの前記ユーザ操作によって選択されたファイル方式に対応しないフォルダ内の画像ファイルの存在を検知すると、
前記ユーザ操作によって選択されたファイル方式に従って、前記記録媒体を初期化する
撮像装置。
【請求項１０】
前記制御部は、前記記録媒体のボリュームラベルに基づいて、前記ユーザ操作によって選択されたファイル方式に対応しないフォルダ内に画像ファイルが存在するか否かを検知する
請求項８又は９に記載の撮像装置。
【請求項１１】
前記制御部は、前記ユーザ操作によって選択されたファイル方式に従って、前記記録媒体のボリュームラベルを設定する
請求項１から１０のいずれか１項に記載の撮像装置。
【発明の詳細な説明】
【技術分野】
【０００１】
本開示は、画像ファイルを記録媒体に記録する撮像装置に関する。
【背景技術】
【０００２】
特許文献１は、複数のデータ構造をサポートした画像データの記録に関する撮像装置を開示する。特許文献１の撮像装置が記録媒体にデータを記録する際のデータ記録構造は、階層的なデータ構造であり、ＭＥＤＩＡディレクトリとＤＣＩＭディレクトリを有する。特許文献１の撮像装置において、ＭＥＤＩＡディレクトリ以下は、静止画および動画などのファイルを取り扱いできる規格に準拠したデータ構造を有する。ＤＣＩＭディレクトリ以下は、デジタルスチルカメラのデータ構造として広く知られるＤＣＦ（Design rule for Camera File system）規格に準拠した構造を有する。
【０００３】
特許文献１の撮像装置は、静止画ファイル及び動画ファイルを何れもＭＥＤＩＡディレクトリ以下に記録し、当該静止画ファイルへのリンク情報をＤＣＩＭディレクトリ以下に記録する。これにより、記録媒体の消費を抑制しながら、静止画ファイルを複数のデータ構造により取り扱い可能としている。
【先行技術文献】
【特許文献】
【０００４】
【特許文献１】特開２００６−１０９１７６号公報
【発明の概要】
【発明が解決しようとする課題】
【０００５】
本開示は、ユーザの趣向に応じて画像ファイルを管理し易くすることができる撮像装置を提供する。
【課題を解決するための手段】
【０００６】
本開示において、画像ファイルを記録媒体に記録する撮像装置は、撮像部と、制御部と、操作部とを備える。撮像部は、被写体像を撮像して撮像データを生成する。制御部は、撮像データに基づく画像ファイルを記録媒体に記録する。操作部は、記録媒体における画像ファイルを管理するファイル方式を、互いに異なる第１及び第２のファイル方式から選択するユーザ操作を入力する。制御部は、操作部において入力されたユーザ操作に基づいて、記録媒体において第１のファイル方式に対応する第１のフォルダと第２のファイル方式に対応する第２のフォルダとの間で、画像ファイルの格納先のフォルダを切り替える。
【発明の効果】
【０００７】
本開示に係る撮像装置によると、ユーザの趣向に応じて画像ファイルを管理し易くすることができる。
【図面の簡単な説明】
【０００８】
【図１】本開示の実施形態１に係るデジタルカメラの構成を示す図
【図２】デジタルカメラの背面を示した図
【図３】実施形態１に係るデジタルカメラの動作の概要を説明するための図
【図４】ＤＣＦ方式のフォルダ名及びファイル名を説明するための図
【図５】シネマ方式のフォルダ名及びファイル名を説明するための図
【図６】デジタルカメラにおけるファイル方式の設定動作を説明するための図
【図７】ファイル方式の設定動作を例示するフローチャート
【図８】動画撮影画面の表示例を示す図
【図９】実施形態１のデジタルカメラにおける撮影時と再生時の動作の概要を説明するための図
【図１０】実施形態１のデジタルカメラにおける再生方法の設定メニューを説明するための図
【図１１】実施形態１のデジタルカメラにおける再生動作を例示するフローチャート
【図１２】再生動作における一覧再生画面の表示例を示す図
【図１３】再生動作における個別再生画面の表示例を示す図
【図１４】実施形態２のデジタルカメラにおけるメモリカードのボリュームラベル設定動作の概要を説明するための図
【図１５】ボリュームラベル設定値テーブルを例示する図
【図１６】実施形態２のデジタルカメラにおけるメモリカードのボリュームラベル変更動作を例示するフローチャート
【図１７】実施形態３のデジタルカメラにおける動画ファイルの集約動作の概要を説明するための図
【図１８】実施形態３のデジタルカメラにおける動画ファイルの集約動作を例示するフローチャート
【図１９】シネマ方式への集約処理を例示するフローチャート
【図２０】ＤＣＦ方式への集約処理を例示するフローチャート
【図２１】実施形態４のデジタルカメラにおけるメモリカードのフォーマット動作を例示するフローチャート
【図２２】フォーマット動作における表示例を示す図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１０】
（実施形態１)
実施形態１では、本開示に係る撮像装置の一例として、被写体を撮像して静止画データ及び動画データを記録可能なデジタルカメラについて説明する。
【００１１】
図１は、本実施形態に係るデジタルカメラ１００の構成を示す図である。本実施形態のデジタルカメラ１００は、イメージセンサ１１５と、画像処理エンジン１２０と、表示モニタ１３０と、コントローラ１３５とを備える。さらに、デジタルカメラ１００は、バッファメモリ１２５と、カードスロット１４０と、フラッシュメモリ１４５と、操作部１５０とを備える。また、デジタルカメラ１００は、例えば光学系１１０及びレンズ駆動部１１２を備える。
【００１２】
光学系１１０は、フォーカスレンズ、ズームレンズ、光学式手ぶれ補正レンズ（ＯＩＳ）、絞り、シャッタ等を含む。フォーカスレンズは、イメージセンサ１１５上に形成される被写体像のフォーカス状態を変化させるためのレンズである。ズームレンズは、光学系で形成される被写体像の倍率を変化させるためのレンズである。フォーカスレンズ等は、それぞれ１枚又は複数枚のレンズで構成される。
【００１３】
レンズ駆動部１１２は、光学系１１０におけるフォーカスレンズ等を駆動する。レンズ駆動部１１２はモータを含み、コントローラ１３５の制御に基づいてフォーカスレンズを光学系１１０の光軸に沿って移動させる。レンズ駆動部１１２においてフォーカスレンズを駆動する構成は、ＤＣモータ、ステッピングモータ、サーボモータ、または超音波モータなどで実現できる。レンズ駆動部１１２は、コントローラ１３５の制御に基づいて光学系１１０における絞りを駆動する絞りアクチュエータを含む。
【００１４】
イメージセンサ１１５は、光学系１１０を介して形成された被写体像を撮像して、撮像データを生成する。撮像データは、イメージセンサ１１５による撮像画像を示す画像データを構成する。イメージセンサ１１５は、所定のフレームレート（例えば、３０フレーム／秒）で新しいフレームの画像データを生成する。イメージセンサ１１５における、撮像データの生成タイミングおよび電子シャッタ動作は、コントローラ１３５によって制御される。イメージセンサ１１５は、ＣＭＯＳイメージセンサ、ＣＣＤイメージセンサ、またはＮＭＯＳイメージセンサなど、種々のイメージセンサを用いることができる。
【００１５】
イメージセンサ１１５は、動画像、静止画像、またはスルー画像の撮像動作等を実行する。スルー画像は主に動画像であり、ユーザが例えば静止画像の撮像のための構図を決めるために表示モニタ１３０に表示される。イメージセンサ１１５は、露光、電子シャッタ等の各種動作を実行する。イメージセンサ１１５は、本実施形態における撮像部の一例である。
【００１６】
画像処理エンジン１２０は、イメージセンサ１１５から出力された撮像データに対して各種の処理を施して画像データを生成したり、画像データに各種の処理を施して、表示モニタ１３０に表示するための画像を生成したりする。各種処理としては、ホワイトバランス補正、ガンマ補正、ＹＣ変換処理、電子ズーム処理、圧縮処理、伸張処理等が挙げられるが、これらに限定されない。画像処理エンジン１２０は、ハードワイヤードな電子回路で構成してもよいし、プログラムを用いたマイクロコンピュータ、プロセッサなどで構成してもよい。
【００１７】
表示モニタ１３０は、種々の情報を表示する表示部の一例である。例えば、表示モニタ１３０は、イメージセンサ１１５で撮像され、画像処理エンジン１２０で画像処理された画像データが示す画像（スルー画像）を表示する。また、表示モニタ１３０は、ユーザがデジタルカメラ１００に対して種々の設定を行うためのメニュー画面等を表示する。表示モニタ１３０は、例えば、液晶ディスプレイデバイスまたは有機ＥＬデバイスで構成できる。
【００１８】
操作部１５０は、デジタルカメラ１００の外装に設けられた操作ボタンや操作ダイヤル等のハードキー及びソフトキーの総称であり、ユーザによる操作を受け付ける。操作部１５０は、例えば、レリーズボタン、モードダイヤル、表示モニタ１３０のタッチパネル、ジョイスティックなどを含む。また、操作部１５０は、表示モニタ１３０上に表示される仮想的なボタンやアイコンも含む。操作部１５０の具体例については後述する。
【００１９】
コントローラ１３５は、ハードウェアコントローラであり、デジタルカメラ１００全体の動作を統括制御する。コントローラ１３５はＣＰＵ等を含み、ＣＰＵがプログラム（ソフトウェア）を実行することで所定の機能を実現する。コントローラ１３５は、ＣＰＵに代えて、所定の機能を実現するように設計された専用の電子回路で構成されるプロセッサを含んでもよい。すなわち、コントローラ１３５は、ＣＰＵ、ＭＰＵ、ＧＰＵ、ＤＳＵ、ＦＰＧＡ、ＡＳＩＣ等の種々のプロセッサで実現できる。コントローラ１３５は１つまたは複数のプロセッサで構成してもよい。また、コントローラ１３５は、画像処理エンジン１２０などと共に１つの半導体チップで構成してもよい。
【００２０】
バッファメモリ１２５は、画像処理エンジン１２０やコントローラ１３５のワークメモリとして機能する記録媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。フラッシュメモリ１４５は不揮発性の記録媒体である。例えばバッファメモリ１２５は、デジタルカメラ１００における各種設定情報などを記憶する。各種設定情報は、例えば後述する動画ファイル名に関する設定情報を含む。
【００２１】
また、図示していないが、コントローラ１３５は各種の内部メモリを有してもよく、例えばＲＯＭを内蔵してもよい。ＲＯＭには、コントローラ１３５が実行する様々なプログラムが記憶されている。また、コントローラ１３５は、ＣＰＵの作業領域として機能するＲＡＭを内蔵してもよい。
【００２２】
カードスロット１４０は、着脱可能なメモリカード１４２が挿入される手段である。カードスロット１４０は、メモリカード１４２を電気的及び機械的に接続可能であり、メモリカード１４２に対して画像データの書き込み及び読み出しを行う。メモリカード１４２は、内部にフラッシュメモリ等の記録素子を備えた外部メモリである。メモリカード１４２は、画像処理エンジン１２０で生成される画像データなどのデータを格納できる。メモリカード１４２には、デジタルカメラ１００で撮影された静止画データまたは動画データが記録される。
【００２３】
１−１．操作部について
操作部１５０の具体例を、図２を用いて説明する。図２は、デジタルカメラ１００の背面を示した図である。
【００２４】
図２では、操作部１５０の例として、レリーズボタン１５１、選択ボタン１５２、決定ボタン１５３、タッチパネル１５５、およびモードダイヤル１５６が示されている。操作部１５０は、ユーザによる操作を受け付けると、コントローラ１３５に種々の指示信号を送信する。コントローラ１３５は、指示信号に基づいてユーザ操作を入力する。
【００２５】
レリーズボタン１５１は、押下式のボタンである。レリーズボタン１５１がユーザにより操作されると、コントローラ１３５は、押下操作のタイミングに撮像された画像データを記録画像としてメモリカード１４２等に記録する。
【００２６】
選択ボタン１５２は、上下左右方向に設けられた押下式ボタンである。ユーザは、上下左右方向のいずれかの選択ボタン１５２を押下することにより、表示モニタ１３０に表示される各種条件項目を選択したり、カーソルを移動したりすることができる。
【００２７】
決定ボタン１５３は、押下式ボタンである。デジタルカメラ１００が撮影モードあるいは再生モードにあるときに、決定ボタン１５３がユーザにより押下されると、コントローラ１３５は表示モニタ１３０にメニュー画面を表示する。メニュー画面は、撮影／再生のための各種条件を設定するための画面である。決定ボタン１５３が各種条件の設定項目が選択されているときに押下されると、コントローラ１３５は、選択された項目の設定を確定する。
【００２８】
タッチパネル１５５は、表示モニタ１３０の表示画面と重畳して配置され、ユーザの指による表示画面上へのタッチ操作を検出する。これにより、ユーザは、表示モニタ１３０に表示されたメニュー画面上の各種選択等の操作を行える。
【００２９】
２．動作
以上のように構成されるデジタルカメラ１００の動作を以下説明する。
【００３０】
本実施形態に係るデジタルカメラ１００は、メモリカード１４２に静止画ファイルまたは動画ファイルといった画像ファイルを記録するためのファイル方式として、２種類の方式を利用可能である。このようなデジタルカメラ１００の動作の概要を、図３を用いて説明する。
【００３１】
図３（Ａ），（Ｂ）は、デジタルカメラ１００の第１及び第２のファイル方式によるメモリカード１４２内のデータ構造を例示する。ファイル方式は、メモリカード１４２において各種画像ファイルを格納する際のディレクトリ（以下「フォルダ」ともいう）の構成、フォルダ名及びファイル名を規定して、画像ファイルを管理する方式である。
【００３２】
図３（Ａ）は、メモリカード１４２に第１のファイル方式を適用したデータ構造を例示する。本実施形態では、初心者を含む一般的なユーザを想定して、デジタルカメラ１００の第１のファイル方式としてＤＣＦ方式を採用する。ＤＣＦ方式は、ＤＣＦ規格に準拠したファイル方式である。ＤＣＦ規格は、デジタルスチルカメラ等において標準化されており、静止画ファイルを扱う用途において広く普及している。
【００３３】
図３（Ｂ）は、メモリカード１４２に第２のファイル方式を適用したデータ構造を例示する。本実施形態では、プロカメラマン等の専門的なユーザを想定して、デジタルカメラ１００の第２のファイル方式としてシネマ方式を採用する。シネマ方式は、映画制作等の用途に適したファイル方式であり、例えば動画を撮影する際に用いた機器などの各種情報がファイル名等から特定できるように画像ファイルを管理する。
【００３４】
本実施形態のデジタルカメラ１００は、ＤＣＦ方式とシネマ方式の間で、ユーザが利用するファイル方式を切り替えるためのユーザ操作を受け付ける。これにより、デジタルカメラ１００において、多様なユーザのニーズに応えた画像ファイルの記録を実現することができる。例えば、複数のユーザが１台のデジタルカメラ１００を共用するときに、各々のユーザが所望のファイル方式を選べるようなニーズにも応えることができる。
【００３５】
２−１．画像ファイルの記録動作
本実施形態のデジタルカメラ１００がメモリカード１４２に画像ファイルを記録する動作について、図３〜図５を用いて説明する。
【００３６】
図３では、フォルダを矩形で示し、矩形の内部にフォルダ名を示している。更に、フォルダ内に格納されるファイルのファイル名を併記している。メモリカード１４２における最上位ディレクトリの直下には、ＤＣＩＭフォルダ（以下「ＤＣＩＭ」とする）とＰＲＩＶＡＴＥフォルダ（以下「ＰＲＩＶＡＴＥ」とする）の２つのフォルダが設けられる。
【００３７】
ＤＣＩＭは、ＤＣＦ方式によって規定されるフォルダである。ＰＲＩＶＡＴＥは、ＤＣＦ規格外のフォルダの作成及びファイルの記録が可能なフォルダであり、本実施形態では、シネマ方式のフォルダ及びファイルを格納する。デジタルカメラ１００は、各フォルダの下の階層（すなわち、各フォルダの配下）に、それぞれのファイル方式に従って、フォルダの作成及び画像ファイルの記録を行う。ＤＣＩＭ及びＰＲＩＶＡＴＥは、それぞれ本実施形態における第１及び第２のフォルダの一例である。
【００３８】
本実施形態のデジタルカメラ１００は、動画ファイルについて、ユーザ設定のファイル方式に従って記録を実行して、ＤＣＩＭ又はＰＲＩＶＡＴＥに動画ファイルを格納する。動画ファイルの形式は、例えばＭＯＶ形式、又はＭＰ４形式など各種形式であってもよい。
【００３９】
一方、本実施形態のデジタルカメラ１００は、静止画ファイルについては、ユーザ設定に依らずＤＣＦ方式に従って記録を実行して、ＤＣＩＭに静止画ファイルを格納する。静止画ファイルの形式は、例えばＪＰＥＧ形式、ＲＡＷ形式又はＨＳＰ形式などの各種形式であってもよい。このように、静止画ファイルの記録については一般に普及しているＤＣＦ規格に準拠することで、例えば他の機器との互換性を向上させて、ユーザの利便性を高めることができる。
【００４０】
２−１−１．ＤＣＦ方式について
図４（Ａ）は、ＤＣＦ方式のフォルダ名を説明するための図である。図４（Ｂ）は、ＤＣＦ方式のファイル名を説明するための図である。
【００４１】
ＤＣＦ規格によると、図４（Ａ）に示すように、フォルダ名は、数字３桁のディレクトリ番号と５文字の自由文字とで規定される。デジタルカメラ１００においては、ＤＣＦ方式のフォルダの自由文字が、例えば予め「＿ＰＡＡＡ」等に設定されてフラッシュメモリ１４５等に格納される。
【００４２】
デジタルカメラ１００のコントローラ１３５は、ＤＣＦ方式のフォルダを作成する際に、予め設定された自由文字及び既存のフォルダのディレクトリ番号を参照して、ディレクトリ番号をインクリメントするようにフォルダ名を決定する。これにより、図３（Ａ）の例では、ＤＣＩＭの配下にフォルダ名「１００＿ＰＡＡＡ」を有するフォルダが作成されている。
【００４３】
また、ＤＣＦ規格によると、図４（Ｂ）に示すように、ファイル名は、４文字の自由文字と、数字４桁のファイル番号とで規定される。デジタルカメラ１００において、ＤＣＦ方式のファイルの自由文字は、例えば所定文字「Ｐ」と、当該ファイルを格納するフォルダのディレクトリ番号との組合せ等に予め設定される。
【００４４】
デジタルカメラ１００のコントローラ１３５は、ＤＣＦ方式で画像ファイルを記録する際に、所定文字及び記録先フォルダのディレクトリ番号と、当該フォルダ内の既存のファイルのファイル番号とを参照して、ファイル番号をインクリメントするようにファイル名を決定する。これにより、図３（Ａ）の例では、ＤＣＩＭの配下において上述したフォルダの内部に、ファイル名「Ｐ１０００００１」の静止画ファイルと、ファイル名「Ｐ１０００００２」の動画ファイルとが記録されている。
【００４５】
２−１−２．シネマ方式について
図５（Ａ）は、シネマ方式のフォルダ名を説明するための図である。図５（Ｂ）は、シネマ方式のファイル名を説明するための図である。
【００４６】
図５（Ａ）に示すように、シネマ方式のフォルダ名は、数字３桁のフォルダ番号Ｄ１と、５文字の情報文字列Ｄ２とで構成される。情報文字列Ｄ２は、例えば動画撮影が行われた際の記録フォーマットに関する各種設定の情報を示す。シネマ方式によると、例えば情報文字列Ｄ２において順番に並ぶ各文字が、動画ファイルの画素数（及び画角）、ベースフレームレート、ビデオフォーマット、コーデック、及び記録設定をそれぞれ示すことが規定される。例えば、図５（Ａ）に例示する情報文字列Ｄ２の「ＲＡＱＡＭ」において、先頭の文字「Ｒ」は、画素数（及び画角）が４Ｋ（１６：９）であることを示す。
【００４７】
デジタルカメラ１００においては、ユーザが動画画質などの撮影記録に関する設定を変更すると、コントローラ１３５は、シネマ方式に従って、変更後の設定に対応する情報文字列Ｄ２を決定し、決定した情報文字列Ｄ２に基づき新規フォルダを作成する。コントローラ１３５は、シネマ方式のフォルダを作成する際に、情報文字列Ｄ２に関する各種設定及び既存のフォルダ番号を参照して、フォルダ番号Ｄ１をインクリメントするようにフォルダ名を決定する。
【００４８】
図３（Ｂ）の例では、ＰＲＩＶＡＴＥの配下にシネマ方式専用のフォルダ「ＰＡＡＡ＿ＧＲＰ」が作成されており、その下に、フォルダ名「００１ＲＡＱＡＭ」といった特定の動画画質に対応するフォルダが作成される。ＰＡＡＡ＿ＧＲＰは、シネマ方式に準拠した動画ファイルを格納するためのフォルダである。
【００４９】
図５（Ｂ）は、シネマ方式におけるファイル名の構成例を示す図である。シネマ方式のファイル名は、カメラインデックスＦ１と、カード番号Ｆ２と、クリップ番号Ｆ３と、撮影年月日Ｆ４と、ハッシュ値Ｆ５とから構成される。シネマ方式において、カメラインデックスＦ１及びカード番号Ｆ２は、メモリカード１４２の識別名（或いは最上位ディレクトリ）を示すボリュームラベルに対応する。
【００５０】
デジタルカメラ１００のコントローラ１３５は、シネマ方式でファイルを記録する際に、メモリカード１４２のボリュームラベル及び記録先フォルダ内の既存のファイルのクリップ番号Ｆ３等を参照して、クリップ番号Ｆ３をインクリメントするようにファイル名を決定する。図５（Ｂ）では、メモリカード１４２のボリュームラベルが「Ｂ００２」である場合を例示している。この場合、カメラインデックスＦ１は「Ｂ」であり、カード番号Ｆ２は「００２」である。
【００５１】
又、コントローラ１３５は、動画ファイルの記録開始時間から、シネマ方式のファイル名における撮影年月日Ｆ４を生成する。ハッシュ値Ｆ５は、デジタルカメラ１００に固有の値であり、例えばデジタルカメラ１００のシリアル番号から生成される。こうした動作により、図３（Ｂ）の例では、ＰＲＩＶＡＴＥの配下において上述した特定の動画画質のフォルダ内に、「Ｂ００２Ｃ０１０＿１７０９１８＿Ｅ１２５」というファイル名の動画ファイルが記録されている。
【００５２】
このように、シネマ方式では、フォルダ名及びファイル名の文字列に動画撮影に関する各種情報を対応付けることで、動画ファイルの分類を容易にすることができる。
【００５３】
２−２．ファイル方式の設定動作
本実施形態のデジタルカメラ１００は、動画の撮影動作の前に予め、設定メニュー等においてユーザが所望のファイル方式を設定可能にする動作を行う。デジタルカメラ１００におけるファイル方式の設定動作について、図６及び図７を用いて説明する。
【００５４】
図６は、デジタルカメラ１００におけるファイル方式の設定動作を説明するための図である。図６（Ａ）は、デジタルカメラ１００における設定メニュー画面の表示例を示す。図６（Ｂ），（Ｃ）は、ファイル方式の設定動作時に、それぞれ図６（Ａ）から遷移する設定画面の表示例を示す。
【００５５】
図６（Ａ）の表示例は、デジタルカメラ１００に関する諸情報を設定するためのカスタム設定タブ４０が選択され、かつメモリカード１４２またはファイルの記録に関する情報を設定するためのアイコン４１が選択された状態を示す。この際のメニュー項目として、表示モニタ１３０は、「動画ファイル名」などを表示している。
【００５６】
「動画ファイル名」のメニュー項目は、動画ファイルの記録についてユーザが所望のファイル方式を設定可能に設けられる。ユーザが図６（Ａ）において当該メニュー項目を選択して決定操作を入力すると、表示モニタ１３０は動画ファイル名の設定画面（図６（Ｂ），（Ｃ））に遷移する。決定操作は、例えば設定メニュー画面において何れかのメニュー項目が選択された状態で決定ボタン１５３を押下する操作により実現される。
【００５７】
図６（Ｂ），（Ｃ）の表示例において、表示モニタ１３０は、動画ファイル名の設定における選択肢としての「ＤＣＦ方式」及び「シネマ方式」と、参照欄５２と、リターンボタン５４とを表示する。参照欄５２は、選択中のファイル方式が設定された状態で動画撮影を行った場合に、記録される予定の動画ファイルに関する情報を表示する。リターンボタン５４は、表示中のメニュー画面から上位の階層のメニュー画面等に戻るためのユーザ操作を受け付ける。
【００５８】
図６（Ｂ）は、ユーザ操作によりＤＣＦ方式が選択されたときの表示例を示す。このとき、参照欄５２は、その後の動作撮影においてＤＣＦ方式により記録される動画ファイルの記録先フォルダ及びファイル名を表示する。参照欄５２によると、ユーザは、ＤＣＦ方式の選択によって、例えば動画ファイルのファイル名がＤＣＦ規格に準拠した静止画ファイルと同様になることを確認できる。
【００５９】
図６（Ｃ）は、ユーザ操作によりシネマ方式が選択されたときの表示例を示す。このとき、参照欄５２は、シネマ方式による動画ファイルの記録先フォルダ及びファイル名と、メモリカード１４２のボリュームラベルとを表示する。参照欄５２では、例えば図６（Ｃ）のように、記録先フォルダの行とファイル名の行とを分けることで、特にシネマ方式において長くなりがちなファイル名等の情報を見易く表示できる。本例では、ボリュームラベル「Ｂ００２」のメモリカード１４２がカードスロット１４０に挿入されている。
【００６０】
以上のような図６（Ａ）〜（Ｃ）の例の動作時にデジタルカメラ１００のコントローラ１３５が実行する処理について、図７を用いて説明する。図７は、デジタルカメラ１００におけるファイル方式の設定動作を例示するフローチャートである。
【００６１】
まず、コントローラ１３５は、操作部１５０におけるユーザの選択操作を入力する（Ｓ１）。例えば、コントローラ１３５は、動画ファイル名の設定メニュー画面（図６（Ｂ），（Ｃ））において、選択肢のＤＣＦ方式またはシネマ方式が、選択ボタン１５２等のユーザ操作により選択された結果を取得する。
【００６２】
次に、コントローラ１３５は、例えば、ユーザ操作により選択されたファイル方式がシネマ方式であるか否かを判断する（Ｓ２）。例えば、ＤＣＦ方式が選択された場合、選択されたファイル方式はシネマ方式でないと判断される（Ｓ２でＮＯ）。
【００６３】
選択されたファイル方式がＤＣＦ方式である場合（Ｓ２でＮＯ）、コントローラ１３５は、ＤＣＦ方式に従って、動画ファイルの記録先のフォルダ名及びファイル名を決定する（Ｓ３）。ステップＳ３において、コントローラ１３５は、ＤＣＩＭの配下に既存のフォルダ名及びファイル名を参照して、次に記録される予定のファイル名等を決定する。
【００６４】
次に、コントローラ１３５は、表示モニタ１３０に、決定した記録先フォルダ及びファイル名を表示させる（Ｓ４）。図６（Ｂ）の参照欄５２は、メモリカード１４２が図３（Ａ）の状態でＤＣＦ方式が選択された場合（Ｓ２でＮＯ）の表示例である。
【００６５】
一方、選択されたファイル方式がシネマ方式である場合（Ｓ２でＹＥＳ）、コントローラ１３５は、メモリカード１４２のボリュームラベルを取得する（Ｓ５）。
【００６６】
さらに、コントローラ１３５は、デジタルカメラ１００における各種情報を参照して、シネマ方式に従って動画ファイルの記録先フォルダ及びフォルダ名を決定する（Ｓ６）。ステップＳ６で参照される情報は、現在時点を基準として次に記録されるシネマ方式のファイル名等を決定するための情報であり（図５参照）、例えばＰＲＩＶＡＴＥの配下に既存のフォルダ名及びファイル名を含み、動画画質の設定情報を含んでもよい。
【００６７】
次に、コントローラ１３５は、表示モニタ１３０に、取得したメモリカード１４２のボリュームラベルと、決定した記録先フォルダ及びファイル名とを表示させる（Ｓ７）。図６（Ｃ）の参照欄５２は、メモリカード１４２が図３（Ｂ）の状態で動画画質などの設定に変更なくシネマ方式が選択された場合（Ｓ２でＹＥＳ）の表示例である。
【００６８】
その後、例えば図６（Ｂ），（Ｃ）の設定メニュー画面において、ユーザにより選択したファイル方式の決定操作が入力されると、コントローラ１３５は、当該ファイル方式をデジタルカメラ１００に設定して、本フローチャートの処理を終了する。
【００６９】
以上の処理によると、デジタルカメラ１００は、動画ファイル名の設定メニュー画面におけるユーザの選択操作に応じて（Ｓ２）、選択されたファイル方式による動画ファイルのファイル名等を表示する（Ｓ４，Ｓ７）。これにより、ユーザは表示されるファイル名等を参考にしながら、動画ファイルの記録に用いるファイル方式を決定することができる。
【００７０】
２−３．撮影／再生時の動作
以上のようなファイル方式の設定動作が行われた上で、デジタルカメラ１００が動画等を撮影したり再生したりする動作について、以下説明する。
【００７１】
図８は、デジタルカメラ１００における動画撮影画面の表示例を示す図である。図８（Ａ）は、ファイル方式の設定動作により、ＤＣＦ方式が設定された場合の表示例を示す。図８（Ｂ）は、シネマ方式が設定された場合の表示例を示す。
【００７２】
本実施形態では、ＤＣＦ方式で動画を撮影する際には、図８（Ａ）に示すように表示モニタ１３０は動画のファイル名等を特に表示しない。一方、シネマ方式では、図８（Ｂ）に示すように表示モニタ１３０は、例えば動画の撮影中の画面、及び撮影終了後に次の動画撮影が開始されるまでの待機画面において、クリップ名６１を表示する。
【００７３】
図８（Ｂ）に例示するクリップ名６１は、シネマ方式による動画ファイル名（図５（Ｂ）参照）の先頭８文字である。本例のクリップ名６１の表示によると、ユーザは、撮影中の、または直近に撮影後の動画ファイルが、ボリュームラベル「Ｂ００２」のメモリカード１４２にクリップ番号「Ｃ００３」で記録されることを逐次、確認することができる。
【００７４】
２−３−１．再生時の課題について
本実施形態のデジタルカメラ１００における再生時の課題とその解決手段について、図９を用いて説明する。図９は、デジタルカメラ１００における撮影時と再生時の動作の概要を説明するための図である。
【００７５】
図９（Ａ）は、デジタルカメラ１００において再生時の課題となる撮影時の状況を例示した図である。本例では、まず、デジタルカメラ１００にファイル方式としてＤＣＦ方式が設定された状態で撮影が行われ、静止画ファイルｐ１，ｐ２及び動画ファイルｖ１が順番に記録される。その後、ファイル方式がシネマ方式に変更された状態でさらに撮影が行われ、順番に動画ファイルｖａ、ｖｂ、ｖｃ、静止画ファイルｐ３、及び動画ファイルｖｄが記録される。
【００７６】
図９（Ａ）の状況において、デジタルカメラ１００は、ＤＣＦ方式により静止画ファイルｐ１，ｐ２及び動画ファイルｖ１をＤＣＩＭの配下に記録する（図３（Ａ）参照）。上述したファイル方式の変更後、デジタルカメラ１００は、シネマ方式により動画ファイルｖａ〜ｖｄをＰＲＩＶＡＴＥの配下に記録するが、静止画ファイルｐ３については、ファイル方式の設定に関わらずＤＣＩＭの配下に記録する（図３（Ｂ）参照）。
【００７７】
上記のように、本実施形態のデジタルカメラ１００では、ファイル方式を変更可能な機能により、様々な撮影結果の画像ファイルｐ１〜ｐ３，ｖ１，ｖａ〜ｖｄの記録先が、ＤＣＩＭの配下とＰＲＩＶＡＴＥの配下といった異種のフォルダに分散し得る。例えば、動画ファイルｖａ〜ｖｄの記録先フォルダがＰＲＩＶＡＴＥの配下となる設定時であっても、静止画ファイルｐ３の記録先フォルダはＤＣＩＭの配下になる。こうした分散に起因して、デジタルカメラ１００において画像ファイルを再生表示する動作時に、ユーザが確認したい画像ファイルが、再生対象とするフォルダの範囲外であったり、表示される順番が後回しになったりして、画像の確認が非効率的になる課題が懸念される。
【００７８】
そこで、本実施形態のデジタルカメラ１００は、画像ファイルの再生動作においてユーザが意図する画像を効率的に確認し易くするために、複数の再生方法を提供する。図９（Ｂ）〜（Ｄ）は、図９（Ａ）の状況の撮影結果が再生される場合において各種再生方法を例示する。
【００７９】
図９（Ｂ）の再生方法は、デジタルカメラ１００の再生対象の範囲を、ＤＣＩＭの配下のみとして、当該範囲内の画像ファイルを、例えば撮影された順番に表示する。図９（Ｃ）の再生方法では、再生対象の範囲はＤＣＩＭ及びＰＲＩＶＡＴＥの配下であり、表示順は各々の配下の画像ファイルを混在させた撮影順である。図９（Ｄ）の再生方法では、再生対象の範囲は図９（Ｃ）と同様であり、表示順が、例えばＤＣＩＭの配下の画像ファイルの後にＰＲＩＶＡＴＥの配下の画像ファイルが続くファイル名の順番である。
【００８０】
２−３−２．再生方法の設定について
本実施形態のデジタルカメラ１００は、設定メニュー等においてユーザが以上のような再生方法を設定可能にするユーザ操作を受け付ける。本実施形態のデジタルカメラ１００における再生方法の設定メニューについて、図１０を用いて説明する。
【００８１】
図１０（Ａ）は、デジタルカメラ１００における設定メニュー画面の表示例を示す。本表示例は、再生動作に関する設定を行うための再生タブ４２が選択され、かつ画像の表示方法に関するアイコン４３が選択された状態を示す。表示モニタ１３０は、この際のメニュー項目として、「画像表示フォルダ」及び「画像表示順」等を表示している。
【００８２】
「画像表示フォルダ」のメニュー項目は、ユーザが再生動作の表示対象となるフォルダを設定するために設けられる。図１０（Ａ）においてメニュー項目「画像表示フォルダ」が選択されて決定操作が入力されたときに遷移する、画像表示フォルダの設定画面を図１０（Ｂ）に例示する。
【００８３】
図１０（Ｂ）の表示例において、表示モニタ１３０は、画像表示フォルダの設定における選択肢としての「ＤＣＦのみ」及び「どちらも表示」と、リターンボタン５４とを表示する。画像表示フォルダが「ＤＣＦのみ」に設定されると、図９（Ｂ）に例示するように、ＤＣＦ方式のＤＣＩＭ配下に記録された画像ファイルのみが再生動作の表示対象となる。
【００８４】
一方、画像表示フォルダが「どちらも表示」に設定されると、図９（Ｃ），（Ｄ）のように、ＤＣＦ方式でＤＣＩＭの配下に記録された画像ファイルと、シネマ方式でＰＲＩＶＡＴＥの配下に記録された動画ファイルとの両方が再生動作の表示対象となる。図９（Ｃ）の表示順または図９（Ｄ）の表示順の選択は、「画像表示順」のメニュー項目において行われる。図１０（Ｂ）において「どちらも表示」の選択項目が選択され、決定操作が入力された場合に遷移する設定メニュー画面を図１０（Ｃ）に例示する。
【００８５】
「画像表示順」のメニュー項目に対するユーザ操作は、例えば図１０（Ｃ）に示すように画像表示フォルダが「どちらも表示」に設定された場合のみ有効に受け付けられる。画像表示フォルダが「ＤＣＦのみ」に設定された場合、例えば図１０（Ａ）に示すように、「画像表示順」のメニュー項目は無効であることを示すようにグレーアウト表示される。図１０（Ｃ）において、メニュー項目「画像表示順」が選択されて決定操作が入力されたときに遷移する、画像表示順の設定画面を図１０（Ｄ）に例示する。
【００８６】
図１０（Ｄ）の表示例において、表示モニタ１３０は、画像表示順の設定における選択肢としての「撮影日時」及び「ファイル名」等を表示する。画像表示順が「撮影日時」に設定されると、再生動作は、図９（Ｃ）に示すように画像ファイルを撮影順に表示させるように行われる。画像表示順が「ファイル名」に設定されると、再生動作は、図９（Ｄ）に示すように画像ファイルをファイル名順に表示させるように行われる。
【００８７】
このような設定メニューにより、本実施形態のデジタルカメラ１００において、ユーザは再生動作の前に、画像表示フォルダ及び画像表示順に基づく画像ファイルの再生方法を設定可能である。デジタルカメラ１００は、再生方法の設定情報を例えばバッファメモリ１２５に格納する。
【００８８】
なお、デジタルカメラ１００は、画像表示フォルダが「どちらも表示」に設定された場合に限らず、「ＤＣＦのみ」に設定された場合においても、画像表示順を設定するユーザ操作を受け付けてもよい。この場合、例えば図１０（Ａ），（Ｃ）と同様の設定メニューにおいて、画像表示フォルダの設定に関わらず、「画像表示順」のメニュー項目に対するユーザ操作が有効に受け付けられて、図１０（Ｄ）と同様の設定画面に遷移してもよい。この場合であっても、再生対象の範囲をＤＣＩＭの配下として、撮影順及びファイル名順のうち設定された順番に、当該範囲内の画像ファイルを表示することができる。
【００８９】
２−３−３．再生動作
再生方法の設定に基づく再生動作について、図１１から図１３を用いて説明する。
【００９０】
図１１は、本実施形態のデジタルカメラ１００における再生動作を例示するフローチャートである。本フローチャートの処理は、上記のように再生方法が設定された後、例えば再生動作を行うための所定のユーザ操作が入力されたときに開始され、コントローラ１３５により実行される。
【００９１】
図１２は、デジタルカメラ１００の再生動作における一覧再生画面の表示例を示す図である。表示モニタ１３０は、サムネイル画像７１と、順序表示７２と、スクロールバー７３とを表示する。一覧再生画面において、コントローラ１３５は、静止画ファイルに基づくサムネイル画像７１と、動画ファイルに基づくサムネイル画像７１とを並べて表示させる。順序表示７２は、表示対象の画像ファイルの総数に対する選択中の画像ファイルの順序を示す。スクロールバー７３は、表示モニタ１３０の１画面内に表示しきれないサムネイル画像７１をユーザの操作に応じて順次、表示するために設けられる。図１２では、図中左上から右下へ水平方向に進む順に、サムネイル画像７１が並べて表示されている。
【００９２】
図１１において、まず、コントローラ１３５は、バッファメモリ１２５に格納された再生方法の設定情報を取得して（Ｓ１１）、設定情報において設定された画像表示フォルダが「ＤＣＦのみ」または「どちらも表示」の何れであるかを判断する（Ｓ１２）。
【００９３】
設定された画像表示フォルダが「ＤＣＦのみ」であるときコントローラ１３５は、ＤＣＩＭの配下に存在する画像ファイルを参照し（Ｓ１３）、当該画像ファイルを例えば撮影順に表示させる（Ｓ１４）。図１２（Ａ）は、ステップＳ１４における一覧再生画面を例示する。図１２（Ａ）では、ＤＣＦ方式で記録された静止画ファイルｐ１，ｐ２，ｐ３及び動画ファイルｖ１のサムネイル画像７１が、撮影順に従って表示されている（図９（Ａ），（Ｂ）参照）。
【００９４】
一方、設定された画像表示フォルダが「どちらも表示」であるとき、コントローラ１３５は、設定情報において設定された画像表示順が「撮影日時」または「ファイル名」の何れであるかを判断する（Ｓ１５）。
【００９５】
設定された画像表示順が「撮影日時」であるとき、コントローラ１３５は、ＤＣＩＭ及びＰＲＩＶＡＴＥの配下の画像ファイルを参照し（Ｓ１６）、当該画像ファイルを撮影順順に表示させる（Ｓ１７）。図１２（Ｂ）は、ステップＳ１７における一覧再生画面を例示する。図１２（Ｂ）では、ＤＣＩＭ及びＰＲＩＶＡＴＥの配下に記録された全画像ファイルのサムネイル画像７１が、撮影順に従って表示されている（図９（Ａ），（Ｃ）参照）。
【００９６】
設定された画像表示順が「ファイル名」であるとき、コントローラ１３５は、ＤＣＩＭ及びＰＲＩＶＡＴＥの配下の画像ファイルを参照し（Ｓ１８）、当該画像ファイルをファイル名順に表示させる（Ｓ１９）。図１２（Ｃ）は、ステップＳ１９における一覧再生画面を例示する。図１２（Ｃ）では、図１２（Ｂ）と同様の全画像ファイルのサムネイル画像７１が、ファイル名順として静止画ファイルｐ１〜ｐ３及びＤＣＦ方式の動画ファイルｖ１の後に、シネマ方式の動画ファイルｖａ〜ｖｄの順で表示されている（図９（Ｄ）参照）。
【００９７】
コントローラ１３５は、画像ファイルを表示（Ｓ１４、Ｓ１７、Ｓ１９）後、例えばデジタルカメラ１００の動作モードの変更を決定するユーザ操作が入力されることに応じて、本フローチャートに示す処理を終了する。
【００９８】
以上のような再生動作によると、画像表示フォルダ及び画像表示順のユーザ設定に従って、画像ファイルを表示する（Ｓ１１〜Ｓ１９）。これにより、ＤＣＦ規格による静止画ファイルと、ＤＣＦ方式またはシネマ方式による動画ファイルとが、ＤＣＩＭ及びＰＲＩＶＡＴＥの配下に混在して記録されていても、ユーザの意図に沿った再生表示を行い易くすることができる。
【００９９】
上記のステップＳ１４，Ｓ１７，Ｓ１９では、図１２（Ａ）〜（Ｃ）に例示したような一覧表示に限らず、個別に画像ファイルが再生表示されてもよい。図１３は、デジタルカメラ１００の再生動作における個別再生画面の表示例を示す図である。
【０１００】
例えば、図１２（Ａ）〜（Ｃ）の何れかの一覧再生画面においてサムネイル画像７１の１つが選択されて、決定操作が入力されたとき、表示モニタ１３０は、当該サムネイル画像７１に対応する画像ファイルを表示する個別再生画面に遷移する。図１３は、図１２（Ｂ）の一覧再生画面において、シネマ方式で記録された動画ファイルｖｃのサムネイル画像７１を選択した際の個別表示画面を例示する。表示モニタ１３０は、動画ファイルｖｃの再生画像と共に、例えばクリップ名８１及び順序表示８２を表示する。
【０１０１】
本実施形態のデジタルカメラ１００は、図８（Ｂ）に例示する動画撮影画面と同様に、クリップ名８１としてシネマ方式による動画ファイル名の先頭８文字を表示させる。これによりユーザは、再生する動画ファイルについて、記録されたメモリカード１４２のボリュームラベル及びクリップ番号を確認することができる（図５（Ｂ）参照）。なお、ＤＣＦ方式により記録された動画ファイルの再生時には、例えば記録先のフォルダ名及びファイル名が表示されてもよい。
【０１０２】
３．効果等
以上のように、本実施形態におけるデジタルカメラ１００は、画像ファイルをメモリカード１４２（記録媒体）に記録する撮像装置の一例である。デジタルカメラ１００は、イメージセンサ１１５（撮像部）と、コントローラ１３５（制御部）と、操作部１５０とを備える。イメージセンサ１１５は、被写体像を撮像して撮像データを生成する。コントローラ１３５は、撮像データに基づく画像ファイルをメモリカード１４２に記録する。操作部１５０は、メモリカード１４２における画像ファイルを管理するファイル方式を、互いに異なるＤＣＦ方式及びシネマ方式（第１及び第２のファイル方式）から選択するユーザ操作を入力する（Ｓ１）。コントローラ１３５は、操作部１５０において入力されたユーザ操作に基づいて、メモリカード１４２においてＤＣＦ方式に対応するＤＣＩＭ（第１のフォルダ）とシネマ方式に対応するＰＲＩＶＡＴＥ（第２のフォルダ）との間で、画像ファイルの格納先のフォルダを切り替える（図３参照）。
【０１０３】
以上のデジタルカメラ１００によれば、ＤＣＦ方式とシネマ方式との間でユーザが利用するファイル方式を切り替えることができる。これにより、デジタルカメラ１００においてユーザの趣向に応じて画像ファイルを管理し易くすることができる。
【０１０４】
本実施形態において、コントローラ１３５は、ＤＣＦ方式及びシネマ方式のうちのユーザ操作によって選択されたファイル管理方式に従って、メモリカード１４２に記録する画像ファイルのファイル名、前記格納先のフォルダ内におけるフォルダ構成及びフォルダ名のうちの少なくとも一つを設定する（図３、図４（Ｂ）、図５（Ｂ）参照）。なお、本実施形態において、コントローラ１３５は、画像ファイルの記録先フォルダ及びフォルダ名についても、ユーザ操作によって選択されたファイル方式に従って決定する（図３、図４（Ａ）、図５（Ａ）参照）。
【０１０５】
本実施形態において、コントローラ１３５は、操作部１５０において入力されたユーザ操作に基づいて、ＤＣＩＭ及びＰＲＩＶＡＴＥのうちの選択されたファイル方式に対応するフォルダに、撮像データに基づく動画ファイルを記録し、操作部１５０において入力されたユーザ操作に依らず、ＤＣＩＭに、撮像データに基づく静止画ファイルを記録する（図３参照）。これにより、ユーザが趣向に応じて選択したファイル方式によって動画ファイルを記録し、デジタルスチルカメラ等において標準化されているＤＣＦ規格に準拠して静止画ファイルを記録することができる。
【０１０６】
本実施形態において、ＤＣＦ方式は、ＤＣＦ（Ｄｅｓｉｇｎ  ｒｕｌｅ  ｆｏｒ  Ｃａｍｅｒａ  Ｆｉｌｅ  ｓｙｓｔｅｍ）規格によって規定され（図４参照）、シネマ方式は、動画の撮影時の情報をファイル名に含めるように規定される（図５参照）。これにより、ＤＣＦ方式では、ＤＣＦ規格に基づく他の機器との互換性を担保しつつ画像ファイルを管理することができる一方、シネマ方式では、例えば動画を撮影する際に用いた機器などの各種情報がファイル名等から特定できるように画像ファイルを管理することができる。
【０１０７】
本実施形態において、デジタルカメラ１００は、情報を表示する表示モニタ１３０（表示部）をさらに備える。コントローラ１３５は、操作部１５０においてＤＣＦ方式及びシネマ方式から一方のファイル方式を選択するユーザ操作に応じて（Ｓ２）、選択中のファイル方式に対応するフォルダに画像ファイルが記録される際のファイル名及びフォルダ名を表示モニタ１３０に表示させる（Ｓ４、Ｓ７）。これにより、ユーザは記録される予定の画像ファイルのファイル名及びフォルダ名を参照しながら、ファイル方式を選択することができる。
【０１０８】
本実施形態において、デジタルカメラ１００は、画像を表示する表示モニタ１３０（表示部）をさらに備える。コントローラ１３５は、ＤＣＩＭに記録された画像ファイルとＰＲＩＶＡＴＥに記録された画像ファイルとのうちの両方又は一方における各画像ファイルが示す画像を表示モニタ１３０に表示させる（Ｓ１４、Ｓ１７、Ｓ１９）。なお、本実施形態では、ＤＣＩＭに記録された画像ファイルとＰＲＩＶＡＴＥに記録された画像ファイルとのうちの一方における画像ファイルが示す画像を表示させる例として、ＤＣＩＭの配下の画像ファイルのみを表示する（Ｓ１４）が、ＰＲＩＶＡＴＥの配下の画像ファイルが示す画像のみを表示させてもよい。
【０１０９】
コントローラ１３５は、操作部１５０において、ＤＣＩＭに記録された画像ファイルとＰＲＩＶＡＴＥに記録された画像ファイルとの両方における各画像ファイルが示す画像を表示する順番を、撮影された順番又はファイル名の順番から選択するユーザ操作を入力して、選択された順番において、各画像ファイルが示す画像を表示モニタ１３０に表示させる（Ｓ１５、Ｓ１７、Ｓ１９）。これにより、ＤＣＩＭに記録された画像ファイルとＰＲＩＶＡＴＥに記録された画像ファイルとの両方における各画像ファイルが示す画像を表示させる場合であっても、ユーザの所望の順番において表示させることができる。
【０１１０】
（実施形態２）
実施形態１では、デジタルカメラ１００に挿入されたメモリカード１４２がシネマ方式に適合したボリュームラベルを有する例を説明した。実施形態２では、メモリカード１４２のボリュームラベルを、ファイル方式に応じて変更するデジタルカメラ１００について説明する。
【０１１１】
以下、実施形態１に係るデジタルカメラ１００と同様の構成、動作の説明は適宜、省略して、本実施形態に係るデジタルカメラ１００を説明する。
【０１１２】
本実施形態のデジタルカメラ１００は、ファイル方式の設定がシネマ方式であり、且つ挿入されたメモリカード１４２のボリュームラベルがシネマ方式に適合していない場合、シネマ方式に適合するように当該ボリュームラベルを変更する。この際に用いるシネマ方式のボリュームラベルは、例えば設定メニューにおいてユーザが設定可能である。
【０１１３】
図１４は、実施形態２のデジタルカメラ１００におけるメモリカード１４２のボリュームラベル設定動作を説明するための図である。図１４（Ａ）は、図６（Ａ）と同様の設定メニュー画面において、メニュー項目「シネマ方式ファイル設定」が選択される状態を示す。この選択によって図１４（Ａ）から遷移する、シネマ方式ファイル設定の設定画面を図１４（Ｂ）に例示する。なお、「動画ファイル名」の設定がＤＣＦ方式である場合、メニュー項目「シネマ方式ファイル設定」は、例えばグレーアウト表示されてもよい。
【０１１４】
図１４（Ｂ）の例では、表示モニタ１３０は、シネマ方式ファイル設定の設定項目としての「カメラインデックス」及び「次のカード番号」と、リターンボタン５４とを表示する。「カメラインデックス」及び「次のカード番号」は、シネマ方式によるファイル名（図５（Ｂ）参照）において、ボリュームラベルに対応するカメラインデックスＦ１及びカード番号Ｆ２をそれぞれ設定するための設定項目である。デジタルカメラ１００は、各設定項目についてユーザが文字及び数字を入力する操作を受け付けて、入力された値を設定値として、例えばバッファメモリ１２５に保持する。
【０１１５】
図１５は、ボリュームラベル設定値テーブルＴ１を例示する。図１５のボリュームラベル設定値テーブルＴ１では、各設定項目「カメラインデックス」と「次のカード番号」について入力された設定値として「Ａ」と「００１」がそれぞれ格納されている。
【０１１６】
以上のような設定メニューによる設定に基づいて、メモリカード１４２のボリュームラベルを変更する動作について、図１６を参照して説明する。
【０１１７】
図１６は、実施形態２のデジタルカメラ１００におけるメモリカード１４２のボリュームラベル変更動作を例示するフローチャートである。本フローチャートの処理は、例えばカードスロット１４０にメモリカード１４２が新たに挿入されたときに開始され、コントローラ１３５により実行される。
【０１１８】
以下では、メモリカード１４２のボリュームラベルを、ＤＣＦ方式からシネマ方式へ変更したり、シネマ方式からＤＣＦ方式へ変更したりする動作例を説明する。デジタルカメラ１００には、ＤＣＦ方式におけるボリュームラベルとして用いる所定値が予めフラッシュメモリ１４５等に格納されており、当該所定値を「ＣＡＭ」とする。
【０１１９】
図１６のフローチャートにおいて、まず、コントローラ１３５は、カードスロット１４０を介して、挿入されたメモリカード１４２のボリュームラベルを取得する（Ｓ３０）。
【０１２０】
又、コントローラ１３５は、デジタルカメラ１００に設定されたファイル方式を示す設定情報を取得する（Ｓ３１）。当該設定情報は、例えば、予め動画ファイル名の設定メニュー（図６参照）において決定され、バッファメモリ１２５等に格納されている。
【０１２１】
次にコントローラ１３５は、例えば、取得したメモリカード１４２のボリュームラベルが、取得した設定情報における動画ファイル名の設定に整合するか、即ち設定されたファイル方式に適合するか否かを判断する（Ｓ３２）。
【０１２２】
取得したボリュームラベルが動画ファイル名の設定に整合しない場合（Ｓ３２でＮＯ）、コントローラ１３５は、例えば、取得したボリュームラベルがシネマ方式に適合するか否かを判断する（Ｓ３３）。例えば、動画ファイル名の設定がシネマ方式である状態でメモリカード１４２のボリュームラベルがＤＣＦ方式の所定値である場合（Ｓ３２でＮＯ）、ステップＳ３３の判断はＮＯとなる。
【０１２３】
コントローラ１３５は、取得したボリュームラベルがシネマ方式に適合しないと判断すると（Ｓ３３でＮＯ）、例えばボリュームラベル設定値テーブルＴ１を参照して、メモリカード１４２のボリュームラベルを設定値に変更する（Ｓ３４）。図１５の例では、メモリカード１４２のボリュームラベルが所定値「ＣＡＭ」から「Ａ００１」に変更される。
【０１２４】
一方、取得したボリュームラベルがシネマ方式に適合する場合（Ｓ３３でＹＥＳ）、コントローラ１３５は、メモリカード１４２のボリュームラベルをＤＣＦ方式の所定値に変更する（Ｓ３５）。
【０１２５】
コントローラ１３５は、メモリカード１４２のボリュームラベルを変更後（Ｓ３４、Ｓ３５）、本フローチャートの処理を終了する。また、ボリュームラベルが動画ファイル名の設定に整合する場合（Ｓ３２でＹＥＳ）、コントローラ１３５は、特にメモリカード１４２のボリュームラベルを変更せずに、本フローチャートの処理を終了する。
【０１２６】
以上の処理によると、動画ファイル名の設定によるファイル方式と、メモリカード１４２のボリュームラベルが準拠するファイル方式とが一致しない場合に（Ｓ３２でＮＯ）、ボリュームラベルの変更動作が行われる（Ｓ３４、Ｓ３５）。これにより、メモリカード１４２に、動画ファイル名の設定に応じて、動画ファイルの記録に用いるファイル方式に準拠したボリュームラベルを付与することができる。
【０１２７】
なお、図１６のボリュームラベル変更動作は、メモリカード１４２が新たに挿入されたときに限らず、例えば、既にメモリカード１４２が挿入された状態で、ファイル方式の設定動作（図７）により動画ファイル名の設定が変更されたときに開始されてもよい。この場合、ステップＳ３１においてコントローラ１３５は、例えばユーザがファイル方式を決定する操作に応じて設定情報を取得する。また、ボリュームラベル変更動作は、動画ファイルの撮影を開始する際に、開始されてもよい。この場合、コントローラ１３５は、動画記録を開始する際に、ステップＳ３１において、設定情報を取得する。
【０１２８】
以上のように、本実施形態のデジタルカメラ１００において、コントローラ１３５は、ユーザ操作によって選択されたファイル方式に従って、メモリカード１４２のボリュームラベルを設定する（Ｓ３０〜Ｓ３５）。これにより、ユーザの趣向に応じたファイル方式に適合するボリュームラベルが設定され、メモリカード１４２に格納される画像ファイルを管理し易くすることができる。
【０１２９】
（実施形態３）
実施形態２では、デジタルカメラ１００が、設定されたファイル方式に応じてメモリカード１４２のボリュームラベルを変更する動作例を説明した。実施形態３では、設定されたファイル方式においてメモリカード１４２中の動画ファイルを一元管理するための集約動作を行うデジタルカメラ１００について説明する。
【０１３０】
以下、実施形態１，２に係るデジタルカメラ１００と同様の構成、動作の説明は適宜、省略して、本実施形態に係るデジタルカメラ１００を説明する。
【０１３１】
図１７は、実施形態３のデジタルカメラ１００における動画ファイルの集約動作を説明するための図である。図１７（Ａ）は、ＤＣＦ方式により動画ファイルが記録されたメモリカード１４２のフォルダの構成を例示する。図１７（Ｂ）は、図１７（Ａ）に示す状態から、シネマ方式が設定されたデジタルカメラ１００において集約動作を行った状態を例示する。
【０１３２】
本実施形態のデジタルカメラ１００は、設定されたファイル方式と異なるファイル方式による動画ファイルがメモリカード１４２内に存在する場合、設定されたファイル方式に従って当該動画ファイルをコピーする等の集約動作を実行する。図１７（Ａ）では、ＤＣＩＭの配下にＤＣＦ方式の動画ファイルが存在する。当該動画ファイルは、図１７（Ｂ）の場合、シネマ方式に従ってＰＲＩＶＡＴＥの配下にコピーされる。
【０１３３】
本実施形態において、デジタルカメラ１００は、ＤＣＦ方式により動画ファイルを記録する際、動画画質などの動画撮影に関する設定、メモリカード１４２のボリュームラベル及び撮影日時といった情報を、動画ファイル内のメタ情報として記録する。当該メタ情報は、ＤＣＦ方式からシネマ方式への集約動作において用いられる。
【０１３４】
図１８は、本実施形態のデジタルカメラ１００における動画ファイルの集約動作を例示するフローチャートである。本実施形態のデジタルカメラ１００において、コントローラ１３５は、例えば実施形態２のボリュームラベル変更動作（図１６）と同様にステップＳ３０〜Ｓ３５の処理を行い、これに加えて集約動作のための処理（Ｓ３４Ａ，Ｓ３５Ａ）を実行する。
【０１３５】
例えば、コントローラ１３５は、ステップＳ３０で取得したボリュームラベルが、ステップＳ３１で取得した設定情報におけるファイル方式に適合するか否かを判断する（Ｓ３２）。本実施形態において、ステップＳ３２の判断は、メモリカード１４２内に、デジタルカメラ１００の設定とは不適合のファイル方式による動画ファイルが存在するか否かを検知するために行われる。
【０１３６】
メモリカード１４２のボリュームラベルが、デジタルカメラ１００に設定されたファイル方式に適合しない場合（Ｓ３２でＮＯ）、コントローラ１３５は、不適合のファイル方式の動画ファイルの検知結果として、動画ファイルをシネマ方式又はＤＣＦ方式へ集約する処理を実行する（Ｓ３４Ａ，Ｓ３５Ａ）。例えば、コントローラ１３５は、ボリュームラベルがシネマ方式に適合しないと判断すると（Ｓ３３でＮＯ）、シネマ方式への集約処理を実行する（Ｓ３４Ａ）。ステップＳ３４Ａの処理の一例を図１９に示す。
【０１３７】
図１９に例示するシネマ方式への集約処理（Ｓ３４Ａ）において、コントローラ１３５は、ＤＣＩＭの配下に動画ファイルが含まれるか否かを判断する（Ｓ４１）。
【０１３８】
ＤＣＩＭの配下に動画ファイルが含まれる場合（Ｓ４１でＹＥＳ）、コントローラ１３５は、当該動画ファイルの記録時に併せて記録されたメタ情報を取得する（Ｓ４２）。
【０１３９】
続いてコントローラ１３５は、ＤＣＩＭの配下にある動画ファイルを、シネマ方式に基づきコピーする（Ｓ４３）。この際、コントローラ１３５は、取得したメタ情報を用いて、シネマ方式による動画ファイルの記録先フォルダ及びファイル名を決定する。
【０１４０】
図１７の例では、ステップＳ４３において、例えばＤＣＩＭ配下の動画ファイル「Ｐ１０００００２．ＭＯＶ」が、シネマ方式に従ってＰＲＩＶＡＴＥの配下にコピーされる。この際、図１７（Ｂ）に示すように、コピーされた動画ファイルがフォルダ「００１ＲＡＱＡＭ」に「Ｂ００２Ｃ０１２＿１７０９１８＿Ｅ１２５．ＭＯＶ」として記録される。コントローラ１３５は、ＤＣＩＭの配下においてコピーしていない動画ファイルがなくなるまで（Ｓ４１でＮＯ）、ステップＳ４１以降の処理を繰り返す。
【０１４１】
図１８に戻り、コントローラ１３５は、シネマ方式への集約処理（Ｓ３４Ａ）を実行後、メモリカード１４２のボリュームラベルをシネマ方式の設定値に変更する（Ｓ３４）。
【０１４２】
一方、ステップＳ３３において、コントローラ１３５は、例えばボリュームラベルがシネマ方式に適合すると判断すると（Ｓ３３でＹＥＳ）、ＤＣＦ方式への集約処理を実行する（Ｓ３５Ａ）。ステップＳ３５Ａの処理の一例を図２０に示す。
【０１４３】
図２０に例示するＤＣＦ方式への集約処理（Ｓ３５Ａ）において、コントローラ１３５は、ＰＲＩＶＡＴＥの配下に動画ファイルが含まれるか否かを判断する（Ｓ５１）。
【０１４４】
ＰＲＩＶＡＴＥの配下に動画ファイルが含まれる場合（Ｓ５１でＹＥＳ）、コントローラ１３５は、例えばＰＲＩＶＡＴＥの配下の動画ファイルをＤＣＦ方式に従ってＤＣＩＭの配下にコピーする（Ｓ５２）。コントローラ１３５は、ＰＲＩＶＡＴＥの配下の全ての動画ファイルがコピーされるように、ステップＳ５１，Ｓ５２の処理を繰り返す。
【０１４５】
図２０に戻り、コントローラ１３５は、ＤＣＦ方式への集約処理（Ｓ３５Ａ）を実行後、メモリカード１４２のボリュームラベルをＤＣＦ方式の所定値に変更する（Ｓ３５）。
【０１４６】
以上の処理によると、動画ファイル名の設定と異なるファイル方式でメモリカード１４２に記録された動画ファイルがある場合、設定されたファイル方式に基づく動画ファイルの集約処理が実行される（Ｓ３４Ａ，Ａ３５Ａ）。これにより、ユーザが選択したファイル方式に統一して動画ファイルを管理しやすくすることができる。この場合、例えば動画ファイルの再生動作において、一方のファイル方式による記録先フォルダのみを参照すればよく、両方のファイル方式による記録先フォルダを参照するよりも効率良く再生動作を行うことができる。
【０１４７】
また、本実施形態では、ボリュームラベルが動画ファイル名の設定によるファイル方式に準拠するか否かに基づいて、ステップＳ３３以降の動画ファイルの集約処理などの実行要否が判断される（Ｓ３２）。これにより、設定されたファイル方式に準拠しない動画ファイルの有無を参照するよりも高速に、動画ファイルの集約処理などの実行要否を判断することができる。
【０１４８】
なお、動画ファイルの集約処理（Ｓ３４Ａ、Ｓ３５Ａ）は、動画ファイルのコピーに限らず、設定されたファイル方式に従って、動画ファイルを移動したり、リンクファイルを作成したりすることで実現されてもよい。例えば、コントローラ１３５は、ステップＳ４３，Ｓ５２の後に、コピー元の動画ファイルを削除することで、動画ファイルの移動を行ってもよい。又、ステップＳ４３，Ｓ５２においてリンクファイルがコピー先のフォルダに格納されてもよい。
【０１４９】
また、上記のステップＳ３２の説明においては、ボリュームラベルに基づいてデジタルカメラ１００の設定とは不適合のファイル方式による動画ファイルが存在するか否かを検知する例を説明した。ステップＳ３２の検知は、これに限らず、例えば図１９のステップＳ４１及び図２０のステップＳ５１と同様に、各ファイル方式により記録された動画ファイルが存在するか否かを判断することで行われてもよい。
【０１５０】
以上のように、本実施形態のデジタルカメラ１００において、コントローラ１３５は、メモリカード１４２において、ＤＣＩＭ及びＰＲＩＶＡＴＥのうちのユーザ操作によって選択されたファイル方式に対応しないフォルダ内の画像ファイルの存在を検知すると（Ｓ３２でＮＯ）、メモリカード１４２におけるＤＣＩＭ及びＰＲＩＶＡＴＥのうちのユーザ操作によって選択されたファイル方式に対応するフォルダに、検知した画像ファイルを集約させる（Ｓ３４Ａ、Ｓ３５Ａ）。これにより、例えばユーザがファイル方式を切り替えて利用する際に、選択されたファイル方式に応じて画像ファイルを管理し易くすることができる。
【０１５１】
また、本実施形態において、コントローラ１３５は、メモリカード１４２のボリュームラベルに基づいて、ユーザ操作によって選択されたファイル方式に対応しないフォルダ内に画像ファイルが存在するか否かを検知する（Ｓ３２）。これにより、選択されたファイル方式に対応しないフォルダ内を参照しなくても、当該フォルダに格納された画像ファイルの有無を検知することができる。
【０１５２】
（実施形態４）
実施形態３では、ファイル方式について、メモリカード１４２内で画像ファイルの集約動作を行うデジタルカメラ１００について説明した。実施形態４では、メモリカード１４２をフォーマット可能なデジタルカメラ１００について説明する。
【０１５３】
以下、実施形態１〜３に係るデジタルカメラ１００と同様の構成、動作の説明は適宜、省略して、本実施形態に係るデジタルカメラ１００を説明する。
【０１５４】
図２１は、実施形態４のデジタルカメラ１００におけるメモリカード１４２のフォーマット動作を例示するフローチャートである。本実施形態のデジタルカメラ１００において、コントローラ１３５は、例えば実施形態３と同様にステップＳ３０〜Ｓ３５の処理を行い、これに加えてフォーマットのための処理（Ｓ３６〜Ｓ３９）を実行する。
【０１５５】
本実施形態において、コントローラ１３５は、メモリカード１４２のボリュームラベルが、デジタルカメラ１００に設定されたファイル方式に適合しないと判断すると（Ｓ３２でＮＯ）、例えば所定の確認画面を表示モニタ１３０に表示させる（Ｓ３６）。ステップ３６の表示例を図２２に示す。
【０１５６】
ステップＳ３６の確認画面は、メモリカード１４２をフォーマットするか否かをユーザに選択させるために表示される。図２２は、デジタルカメラ１００の動画ファイル名の設定がシネマ方式である状態で、ＤＣＦ方式の動画ファイルが記録されたメモリカード１４２が挿入されたときのフォーマット動作における表示例を示す。本表示時に「はい」又は「いいえ」を選択するユーザ操作がデジタルカメラ１００に入力可能である（Ｓ３７）。
【０１５７】
ユーザ操作により「はい」が選択されると（Ｓ３７でＹＥＳ）、コントローラ１３５は、設定されたファイル方式に従ってメモリカード１４２をフォーマット、即ち初期化する（Ｓ３８）。図２１の例では、ＤＣＦ方式によりＤＣＩＭの配下に記録された動画ファイルが消去される。ＰＲＩＶＡＴＥ、ＰＡＡＡ＿ＧＲＰ等のフォルダが存在しない場合には当該フォルダが作成されてもよい。
【０１５８】
次に、コントローラ１３５は、例えば設定されたファイル方式に応じてメモリカード１４２のボリュームラベルを設定して（Ｓ３８）、本フローチャートの処理を終了する。ステップＳ３８の処理は、例えばステップＳ３４またはＳ３５と同様に行われる。
【０１５９】
一方、図２２に例示するメッセージ画面においてユーザ操作で「いいえ」が選択されると（Ｓ６４でＮＯ）、コントローラ１３５は、例えば実施形態３と同様にステップＳ３３以降の処理を行う。
【０１６０】
以上の処理によると、メモリカード１４２のボリュームラベルが動画ファイル名の設定によるファイル方式に準拠していない場合（Ｓ３２でＮＯ）、ユーザは、メモリカード１４２をフォーマットするか否かを選択可能である（Ｓ３７）。ユーザは、例えばメモリカード１４２内の動画ファイルを他の記録媒体に予めバックアップした上で、フォーマットを選択することができ、設定されたファイル方式により統一的に動画ファイルを管理しやすくすることができる。また、ユーザがフォーマットを選択しない場合（Ｓ３７でＮＯ）にも、例えば動画ファイルの集約動作を行うことにより動画ファイルを管理しやすくすることができる。
【０１６１】
以上のように、本実施形態のデジタルカメラ１００において、コントローラ１３５は、メモリカード１４２において、ＤＣＩＭ及びＰＲＩＶＡＴＥのうちのユーザ操作によって選択されたファイル方式に対応しないフォルダ内の画像ファイルの存在を検知すると（Ｓ３２でＮＯ）、ユーザ操作によって選択されたファイル方式に従って、メモリカード１４２を初期化する（Ｓ３８）。これにより、例えば複数のデジタルカメラ１００において１つのメモリカード１４２を共用する際などに、各デジタルカメラ１００に設定されたファイル方式に応じて画像ファイルを管理し易くすることができる。
【０１６２】
（他の実施形態）
以上のように、本出願において開示する技術の例示として、実施形態１〜４を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０１６３】
上記の実施形態２では、メモリカード１４２のボリュームラベルについて、ＤＣＦ方式からシネマ方式への変更（Ｓ３４）、及びシネマ方式からＤＣＦ方式への変更（Ｓ３５）を行う例を説明したが、ボリュームラベルの変更動作は、特にこれに限らない。例えば、ＤＣＦ方式からシネマ方式への変更（Ｓ３４）のみが行われ、ボリュームラベルがシネマ方式である場合には特に変更されなくてもよい。
【０１６４】
また、上記の各実施形態では、デジタルカメラ１００における第１及び第２のファイル方式の一例として、ＤＣＦ方式及びシネマ方式を例示した。本実施形態において、第１及び第２のファイル方式はこれに限らず、ファイル名、フォルダ構成及びフォルダ名の内の少なくとも一つを規定することにより画像ファイルを管理する各種のファイル方式であってもよい。例えば、第２のファイル方式が、シネマ方式とは異なるファイル方式であってもよく、例えば静止画ファイルと動画ファイルの両方を管理するためのファイル方式であってもよい。こうしたファイル方式に従って、コントローラ１３５は、記録媒体に格納する画像ファイルのファイル名、その格納先のフォルダ構成及びフォルダ名の内の少なくとも一つを設定する。
【０１６５】
また、上記の各実施形態では、静止画ファイルが、ユーザ操作により選択されたファイル方式に関わらず、メモリカード１４２のＤＣＩＭ配下に格納される例を説明した。本実施形態において、静止画ファイルの格納先は、例えば動画ファイルと同様に、ユーザ操作により選択されたファイル方式に応じて切り替えられてもよい。
【０１６６】
また、上記の実施形態３では、動画ファイルの集約動作を行うデジタルカメラ１００を説明した。本実施形態では、集約動作の対象は動画ファイルに限らず、例えば静止画ファイルを含んでもよい。
【０１６７】
また、上記の実施形態４では、ユーザ操作によりメモリカード１４２のフォーマットが選択されなかった場合（Ｓ３７でＮＯ）、図１８のステップＳ３３以降の処理を実行して集約動作を行う例を説明した。本実施形態では、ステップＳ３７でＮＯの場合に集約動作が行われなくてもよく、例えば記録済みの動画ファイル等がそのまま維持されてもよい。
【０１６８】
また、上記の各実施形態では、記録媒体の一例としてメモリカード１４２に画像ファイルを記録するデジタルカメラ１００を説明した。本実施形態のデジタルカメラ１００は、メモリカード１４２に限らず、記録媒体として例えばＳＳＤ（ソリッドステートドライブ）といった外部記録装置に画像ファイルを記録してもよい。
【０１６９】
また、上記の各実施形態では、光学系１１０及びレンズ駆動部を備えるデジタルカメラ１００を例示した。本実施形態の撮像装置は、光学系１１０及びレンズ駆動部を備えなくてもよく、例えば交換レンズ式のカメラであってもよい。
【０１７０】
また、上記の各実施形態では、撮像装置の例としてデジタルカメラ１００を説明したが、これに限定されない。本開示の撮像装置は、露出制御が可能な画像撮影機能を有する電子機器（例えば、ビデオカメラ、スマートフォン、タブレット端末等）であればよい。
【０１７１】
以上のように、本開示における技術の例示として、実施の形態を説明した。そのために、添付図面および詳細な説明を提供した。
【０１７２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【産業上の利用可能性】
【０１７３】
本開示は、画像ファイルを記録媒体に記録する撮像装置に適用可能である。
【符号の説明】
【０１７４】
１００  デジタルカメラ
１１５  イメージセンサ
１２０  画像処理エンジン
１２５  バッファメモリ
１３０  表示モニタ
１３５  コントローラ
１４０  カードスロット
１４２  メモリカード
１４５  フラッシュメモリ
１５０  操作部
【要約】
【課題】ユーザの趣向に応じて画像ファイルを管理し易くすることができる撮像装置を提供する。
【解決手段】撮像装置（１００）は、画像ファイルを記録媒体（１４２）に記録し、撮像部（１１５）と、制御部（１３５）と、操作部（１５０）とを備える。撮像部は、被写体像を撮像して撮像データを生成する。制御部は、撮像データに基づく画像ファイルを記録媒体に記録する。操作部は、記録媒体における画像ファイルを管理するファイル方式を、互いに異なる第１及び第２のファイル方式から選択するユーザ操作を入力する。制御部は、操作部において入力されたユーザ操作に基づいて、記録媒体において第１のファイル方式に対応する第１のフォルダと第２のファイル方式に対応する第２のフォルダとの間で、画像ファイルの格納先のフォルダを切り替える。
【選択図】図３【図１】
0006928886.tif 000002
【図２】
0006928886.tif 000003
【図３】
0006928886.tif 000004
【図４】
0006928886.tif 000005
【図５】
0006928886.tif 000006
【図６】
0006928886.tif 000007
【図７】
0006928886.tif 000008
【図８】
0006928886.tif 000009
【図９】
0006928886.tif 000010
【図１０】
0006928886.tif 000011
【図１１】
0006928886.tif 000012
【図１２】
0006928886.tif 000013
【図１３】
0006928886.tif 000014
【図１４】
0006928886.tif 000015
【図１５】
0006928886.tif 000016
【図１６】
0006928886.tif 000017
【図１７】
0006928886.tif 000018
【図１８】
0006928886.tif 000019
【図１９】
0006928886.tif 000020
【図２０】
0006928886.tif 000021
【図２１】
0006928886.tif 000022
【図２２】
0006928886.tif 000023